(57)【要約】【課題】ウィンドウガラスの破損に伴いウィンドウガラスが完全に粉砕せずに残るような場合でもウィンドウガラスの破損を検出することができるウィンドウガラス破損検出装置を提供する。【解決手段】ウィンドウガラスが破損したときに、破損したことを通報する無線通信機能を備えた通報装置と無線通信をする無線通信部と、無線通信部へ電力を供給する電源部と、電源部から無線通信部に電力を供給する配線でありかつ弾性体である、ウィンドウガラスに破損が生じたときにウィンドウガラスの一部領域を弾性体の弾性力により破壊し、無線通信部への電力供給を停止する機能を有する電力供給弾性部と、を備えるウィンドウガラスに取り付けられ、ウィンドウガラスの破損を検出するために用いられるウィンドウガラス破損検出装置である。【選択図】      図３
2009298341.tif 000002
【特許請求の範囲】
【請求項１】
ウィンドウガラスに取り付けられ、前記ウィンドウガラスの破損を検出するために用いられるウィンドウガラス破損検出装置であって、
前記ウィンドウガラスが破損したときに、破損したことを通報する無線通信機能を備えた通報装置と無線通信をする無線通信部と、
前記無線通信部へ電力を供給する電源部と、
前記電源部から前記無線通信部に電力を供給する配線でありかつ弾性体である、前記ウィンドウガラスに破損が生じたときに前記ウィンドウガラスの一部領域を前記弾性体の弾性力により破壊し、前記無線通信部への電力供給を停止する機能を有する電力供給弾性部と、
を備えることを特徴とするウィンドウガラス破損検出装置。
【請求項２】
前記電力供給弾性部には、
前記ウィンドウガラスを破壊するときに前記ウィンドウガラスを破壊しやすくする突起を前記ウィンドウガラスに接触する部分に設けることを特徴とする請求項１に記載のウィンドウガラス破損検出装置。
【請求項３】
前記電力供給弾性部は、板ばねであることを特徴とする請求項１に記載のウィンドウガラス破損検出装置。
【請求項４】
前記無線通信部と前記通報装置間の無線通信は、ＲＦＩＤ方式を用いた通信であることを特徴とする請求項１に記載のウィンドウガラス破損検出装置。
【請求項５】
前記ウィンドウガラス破損検出装置は、
前記ウィンドウガラスに複数取り付けることを特徴とする請求項１に記載のウィンドウガラス破損検出装置。
【発明の詳細な説明】
【技術分野】
【０００１】
本発明は、ウィンドウガラスの破損検出に係り、特に、ひび割れ程度の破損でも検出する技術に関する。
【背景技術】
【０００２】
従来のガラス割れ検出装置は、ウィンドウガラスの破壊時に発生する衝撃音を車内に設けたマイクロホンからなる検出手段により検出し、この検出手段が作動した時に警報を発するものが提案されている。従来技術の構成によると、検出される衝撃音は専ら可聴周波数帯域の音波であり、窓ガラスの破壊音のみならず車外の騒音（他車のクラクション音や広報者からの拡声音等）をも誤検出してしまい、警報手段の誤動作を生じさせ易く、実用に即しないという問題がある。
【０００３】
特許文献１によれば、窓ガラスの表面若しくは内部に抵抗体を設置し、電源電圧の分圧値を検出する回路を構成する。ガラスが割れる場合には、ガラスの表面若しくは内部に設置された抵抗体が電源との間で断線するため、分圧値を検出する回路にて検出されていた分圧が変化することになる。このように、分圧の変化を検出することによりガラス割れを判断する手法が提案されている。
【０００４】
しかしながら、この提案では抵抗体が完全に断線しないと分圧が変化しないため、ガラスが割れたことを検知できないという問題点がある。
特許文献２によれば、中央で分割された各電極帯に高電圧バッテリからコントローラ及び各導電線を通り給電して抵抗性被膜を加熱する。電流検出器が検出する不均衡電流が所定レベルを越えた場合に、コントローラが抵抗性被膜への給電を停止する。電極帯を分割することで、電流の不均衡を検出してウィンドウガラスのひび割れを精度良く検知することができるウィンドウガラス加熱装置が開示されている。また、特許文献３、特許文献４などが開示されている。
【特許文献１】特開２００３−１４１６４９号公報
【特許文献２】特開平７−１０１２３９号公報
【特許文献３】特開２００５−１１５４０９号公報
【特許文献４】特開２００６−１８８８２３号公報
【発明の開示】
【発明が解決しようとする課題】
【０００５】
上記のような実情に鑑みてなされたものであり、ウィンドウガラスの破損、特にひび割れ程度のガラス割れでも検出することができるウィンドウガラス破損検出装置を提供することを目的とする。
【課題を解決するための手段】
【０００６】
態様のひとつであるウィンドウガラスに取り付けられ、前記ウィンドウガラスの破損を検出するために用いられるウィンドウガラス破損検出装置は、無線通信部、電源部、電力供給弾性部を備えている。
【０００７】
無線通信部は、前記ウィンドウガラスが破損したときに、破損したことを通報する無線通信機能を備えた通報装置と無線通信をする。電源部は、前記無線通信部へ電力を供給する。電力供給弾性部は、前記電源部から前記無線通信部に電力を供給する配線でありかつ弾性体である、前記ウィンドウガラスに破損が生じたときに前記ウィンドウガラスの一部領域を前記弾性体の弾性力により破壊し、前記無線通信部への電力供給を停止する機能を有する。
【０００８】
上記構成によりウィンドウガラスの破損に伴いウィンドウガラスが完全に粉砕せずに残るような場合でも、電力供給弾性部がウィンドウガラスを破壊して、ウィンドウガラスの破損を検出することができる。
【０００９】
また、前記電力供給弾性部には、前記ウィンドウガラスを破壊するときに前記ウィンドウガラスを破壊しやすくする突起を前記ウィンドウガラスに接触する部分に設ける。
また、前記電力供給弾性部は、板ばねである。
【００１０】
また、前記無線通信部と前記通報装置間の無線通信は、ＲＦＩＤ方式を用いた通信である。
また、前記ウィンドウガラスに複数取り付ける。
【発明の効果】
【００１１】
ウィンドウガラスの破損、特にひび割れ程度のガラス割れでも検出することができる。
【発明を実施するための最良の形態】
【００１２】
以下図面に基づいて、本発明の実施形態について詳細を説明する。
（実施例１）
図１に示すようにウィンドウガラス破損検出装置１は、無線通信部２、電源部３、電力供給弾性部４を備えている。また、図２にウィンドウガラス破損検出装置１と通報装置１２の構成を示す。
【００１３】
無線通信部２は、ウィンドウガラス１００が破損したときに、破損したことを通報する無線通信機能を備えた通報装置１２と無線通信をする。例えば、無線通信部２と通報装置１２との間の無線通信は、ＲＦＩＤ（Radio Frequency Identification）を用いる。
【００１４】
電源部３（電池など）は配線８と、配線９から電力供給弾性部４と配線１０を介して無線通信部２へ電力を供給する。配線１０は配線９とは直接接触させず、電力供給弾性部４を介して電力を供給する。
【００１５】
そこで、配線１０と電力供給弾性部４の接着を強化するために、配線１０の接触部に弾性を有するようにしてもよい。
電力供給弾性部４は、電源部３から無線通信部２に電力を供給する配線でありかつ弾性体である、ウィンドウガラス１００に破損が生じたときにウィンドウガラスの一部領域を弾性体の弾性力により破壊する（図３のＡ、図３のＢ参照）。そして、ウィンドウガラス１００の一部領域が破壊すると配線１０と電力供給弾性部４が接触しなくなるため無線通信部２への電力供給を停止する（図３のＡ、図３のＢ参照）。例えば、電力供給弾性部４は板ばねなどであり、通常はウィンドウガラス１００に開けられた孔（ウィンドウガラス破損検出装置１の取り付けるための孔部）に曲げられて配置されている。
【００１６】
また、電力供給弾性部４にはウィンドウガラス１００を破壊するときにウィンドウガラス１００を破壊しやすくする突起１１をウィンドウガラス１００に接触する部分に設ける。例えば先端が鋭角の突起（楔）などが好ましい。本例では図２、図３などに示すようにウィンドウガラス１００の孔部の上側壁面に三角形の楔を取り付けている。突起１１（楔）は、ひび割れなどにより破損したウィンドウガラス１００を弾性力で突き破ることができる。
【００１７】
また、電源部３の上部には絶縁材料により製作されたプレート５が設けられている。プレート５には配線１０、無線通信部２の電源端子６、７用に配線があり、電源部３の電力供給端子と接続するための配線８、９もある。
【００１８】
通報装置１２は、アンテナ１３、受信機１４、コントローラ１５、警報装置１６を備えている。また、通報装置１２は例えば車両などに搭載されている。
アンテナ１３は、無線通信部２から予め設定された間隔で送信される送信信号（電磁波）を受信する。その後、受信した送信信号を受信機１４により復調する。復調した送信信号に基づいてコントローラ１５が正常であるか否かを判定して警報装置１６に通知する。
【００１９】
コントローラ１５は、一定の間隔で無線通信部２か送信信号を受信している場合は警報を出力しないように制御信号を警報装置１６に出力する。
警報装置１６は、スピーカやライトを備えており、大音量または発光などによりウィンドウガラスが破損したことを知らせる。
【００２０】
なお、ウィンドウガラス破損検出装置１は、図４に示すようにウィンドウガラス１００に設けられた複数の取り付け孔４１に複数取り付けてもよい。
また、本例では無線通信をＲＦＩＤを用いたが、他の電磁波を発信する回路を使用することも可能である。
【００２１】
また、平常時は電波が停止し、ガラスにひびが入りバネが伸びた時に電波を発信するようにしてもよい。
また、本発明は、上記実施の形態に限定されるものでなく、本発明の要旨を逸脱しない範囲内で種々の改良、変更が可能である。
【図面の簡単な説明】
【００２２】
【図１】ウィンドウガラス破損検出装置の斜視図である。
【図２】ウィンドウガラス破損検出装置と通報装置の概略図である。
【図３】ウィンドウガラス破損を検出するさいの弾性体の動きを示す図である。Ａはウィンドウガラスにひびが入ったときの図。Ｂはひびが入ったのちウィンドウガラスを弾性体が破壊したことを示す図
【図４】ウィンドウガラス破損検出装置を複数取り付けた時の斜視図である。
【符号の説明】
【００２３】
１  ウィンドウガラス破損検出装置、
２  無線通信部、
３  電源部、
４  電力供給弾性部、
５  プレート、
６、７  電源端子、
８、９、１０  配線、
１１  突起、
１２  通報装置、
１３  アンテナ、
１４  受信機、
１５  コントローラ、
１６  警報装置、
１００  ウィンドウガラス、
【図１】
2009298341.tif 000003
【図２】
2009298341.tif 000004
【図３】
2009298341.tif 000005
【図４】
2009298341.tif 000006